【手続補正書】
【提出日】平成16年1月14日(2004.1.14)
【手続補正１】
【補正対象書類名】明細書
【補正対象項目名】特許請求の範囲
【補正方法】変更
【補正の内容】
【特許請求の範囲】
【請求項１】
薄膜トランジスタアレイ基板と、該薄膜トランジスタアレイ基板に対向する対向基板と、該薄膜トランジスタアレイ基板と該対向基板とのあいだに挟持される液晶とからなる液晶表示装置であって、
互いに平行な複数の走査線と、
該走査線間に配置される複数の画素電極と、
該画素電極間に配置される複数の対向電極と、
該両電極を覆う絶縁膜と、
該絶縁膜上に前記走査線に交差して配置される互いに平行な複数の信号線と、
前記走査線と該信号線との交点近傍に配置される薄膜トランジスタと
が前記薄膜トランジスタアレイ基板上に形成されており、
前記走査線と前記信号線とによって区画される領域が画素であり、
前記画素電極と前記対向電極とのあいだに、前記薄膜トランジスタアレイ基板に平行に電界が形成されて前記液晶が駆動され、
前記絶縁膜を介して前記信号線の下層でかつ該信号線の両側に位置する２つの前記対向電極が一体に形成されてなる液晶表示装置。 
【請求項２】
薄膜トランジスタアレイ基板と、該薄膜トランジスタアレイ基板に対向する対向基板と、該薄膜トランジスタアレイ基板と該対向基板とのあいだに挟持される液晶とからなる液晶表示装置であって、
互いに平行な複数の走査線と、
該走査線間に配置される複数の画素電極と、
該画素電極間に配置される複数の対向電極と、
該両電極を覆う絶縁膜と、
該絶縁膜上に前記走査線に交差して配置される互いに平行な複数の信号線と、
前記走査線と該信号線との交点近傍に配置される薄膜トランジスタと
が前記薄膜トランジスタアレイ基板上に形成されており、
前記走査線と前記信号線とによって区画される領域が画素であり、
前記画素電極と前記対向電極とのあいだに、前記薄膜トランジスタアレイ基板に平行に電界が形成されて前記液晶が駆動され、
前記信号線の長さ方向の少なくとも一部が、前記絶縁膜を介して前記信号線の下層でかつ該信号線の両側に位置する２つの対向電極のうち、いずれか１つの対向電極に重なるように配置されてなる液晶表示装置。
【請求項３】
前記信号線の下層の長さ方向の少なくとも一部に、半導体膜が配置されてなる請求項１または２記載の液晶表示装置。 
【請求項４】
薄膜トランジスタアレイ基板と、該薄膜トランジスタアレイ基板に対向する対向基板と、該２枚の基板のあいだに挟持される液晶とからなる液晶表示装置であって、
互いに平行な複数の走査線と、
該走査線間に配置される複数の画素電極と、
該画素電極間に配置される複数の対向電極と、
該両電極を覆う絶縁膜と、
該絶縁膜上に前記走査線に交差して配置される互いに平行な複数の信号線と、
前記走査線と該信号線との交点近傍に配置される薄膜トランジスタと
が前記薄膜トランジスタアレイ基板上に形成されており、
前記走査線と前記信号線とによって区画される領域が画素であり、前記画素電極と前記対向電極とのあいだに、前記薄膜トランジスタアレイ基板に平行に電界が形成されて前記液晶が駆動され、
前記信号線の下層の長さ方向の少なくとも一部に、前記薄膜トランジスタの半導体膜と同時に形成された半導体膜が配置され、かつ、該同時に形成された半導体膜が、前記絶縁膜を介して前記信号線の下層でかつ該信号線の両側に位置する２つの対向電極のうちの少なくともいずれか１つの対向電極の少なくとも一部に重なるように配置されてなる液晶表示装置。
【請求項５】
前記信号線の長さ方向の少なくとも一部が、該信号線に隣接する２つの対向電極のうちいずれか１つの対向電極に重なるように配置されてなる請求項４記載の液晶表示装置。
【請求項６】
前記信号線の下層のほぼ全体に、前記薄膜トランジスタの半導体膜と同時に形成された半導体膜が配置されてなる請求項１、２または４記載の液晶表示装置。
【請求項７】
前記対向基板上に、前記信号線と対向するように、絶縁材料からなるブラックマトリックスが設けられてなる請求項１、２、３、４、５または６記載の液晶表示装置。
【請求項８】
前記ブラックマトリックスが有機樹脂である請求項７記載の液晶表示装置。
【請求項９】
前記対向基板上に、前記信号線と対向するようにブラックマトリックスが島状に形成されてなる請求項１、２、３、４、５または６記載の液晶表示装置。
【手続補正２】
【補正対象書類名】明細書
【補正対象項目名】００１１
【補正方法】変更
【補正の内容】
【００１１】
【課題を解決するための手段】
前述した目的を達成するために、本発明の請求項１にかかわる液晶表示装置は、薄膜トランジスタアレイ基板と、該薄膜トランジスタアレイ基板に対向する対向基板と、該薄膜トランジスタアレイ基板と該対向基板とのあいだに挟持される液晶とからなる液晶表示装置であって、
互いに平行な複数の走査線と、
該走査線間に配置される複数の画素電極と、
該画素電極間に配置される複数の対向電極と、
該両電極を覆う絶縁膜と、
該絶縁膜上に前記走査線に交差して配置される互いに平行な複数の信号線と、
前記走査線と該信号線との交点近傍に配置される薄膜トランジスタと
が前記薄膜トランジスタアレイ基板上に形成されており、
前記走査線と前記信号線とによって区画される領域が画素であり、
前記画素電極と前記対向電極とのあいだに、前記薄膜トランジスタアレイ基板に平行に電界が形成されて前記液晶が駆動され、
前記絶縁膜を介して前記信号線の下層でかつ該信号線の両側に位置する２つの前記対向電極が一体に形成されている。


【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明の請求項２にかかわる液晶表示装置は、薄膜トランジスタアレイ基板と、該薄膜トランジスタアレイ基板に対向する対向基板と、該薄膜トランジスタアレイ基板と該対向基板とのあいだに挟持される液晶とからなり、
互いに平行な複数の走査線と、
該走査線間に配置される複数の画素電極と、
該画素電極間に配置される複数の対向電極と、
該両電極を覆う絶縁膜と、
該絶縁膜上に前記走査線に交差して配置される互いに平行な複数の信号線と、
前記走査線と該信号線との交点近傍に配置される薄膜トランジスタと
が前記薄膜トランジスタアレイ基板上に形成されており、
前記走査線と前記信号線とによって区画される領域が画素であり、
前記画素電極と前記対向電極とのあいだに、前記薄膜トランジスタアレイ基板に平行に電界が形成されて前記液晶が駆動され、
前記信号線の長さ方向の少なくとも一部が、前記絶縁膜を介して前記信号線の下層でかつ該信号線の両側に位置する２つの対向電極のうち、いずれか１つの対向電極に重なるように配置されている。


【手続補正６】
【補正対象書類名】明細書
【補正対象項目名】００１５
【補正方法】変更
【補正の内容】
【００１５】
本発明の請求項３にかかわる液晶表示装置は、前記信号線の下層の長さ方向の少なくとも一部に、半導体膜が配置されているので、短絡欠陥発生を抑制しうる点で好ましい。


【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
本発明の請求項４にかかわる液晶表示装置は、薄膜トランジスタアレイ基板と、該薄膜トランジスタアレイ基板に対向する対向基板と、該２枚の基板のあいだに挟持される液晶とからなる液晶表示装置であって、
互いに平行な複数の走査線と、
該走査線間に配置される複数の画素電極と、
該画素電極間に配置される複数の対向電極と、
該両電極を覆う絶縁膜と、
該絶縁膜上に前記走査線に交差して配置される互いに平行な複数の信号線と、
前記走査線と該信号線との交点近傍に配置される薄膜トランジスタと
が前記薄膜トランジスタアレイ基板上に形成されており、
前記走査線と前記信号線とによって区画される領域が画素であり、前記画素電極と前記対向電極とのあいだに、前記薄膜トランジスタアレイ基板に平行に電界が形成されて前記液晶が駆動され、
前記信号線の下層の長さ方向の少なくとも一部に、前記薄膜トランジスタの半導体膜と同時に形成された半導体膜が配置され、かつ、該同時に形成された半導体膜が、前記絶縁膜を介して前記信号線の下層でかつ該信号線の両側に位置する２つの対向電極のうちの少なくともいずれか１つの対向電極の少なくとも一部に重なるように配置されている。


【手続補正１０】
【補正対象書類名】明細書
【補正対象項目名】００１９
【補正方法】変更
【補正の内容】
【００１９】
本発明の請求項５にかかわる液晶表示装置は、前記信号線の長さ方向の少なくとも一部が、該信号線に隣接する２つの対向電極のうちいずれか１つの対向電極に重なるように配置されているので、寄生容量を低減しうる点で好ましい。


【手続補正１１】
【補正対象書類名】明細書
【補正対象項目名】００２０
【補正方法】変更
【補正の内容】
【００２０】
本発明の請求項６にかかわる液晶表示装置は、前記信号線の下層のほぼ全体に、前記薄膜トランジスタの半導体膜と同時に形成された半導体膜が配置されているので、短絡欠陥発生を抑制できる点で好ましい。


【手続補正１２】
【補正対象書類名】明細書
【補正対象項目名】００２１
【補正方法】変更
【補正の内容】
【００２１】
本発明の請求項７にかかわる液晶表示装置は、前記対向基板上に、前記信号線と対向するように、絶縁材料からなるブラックマトリックスが設けられているので、寄生容量を削減でき、信号線と対向電極を重ねることによる寄生容量の増加を相殺できる点で好ましい。


【手続補正１３】
【補正対象書類名】明細書
【補正対象項目名】００２２
【補正方法】変更
【補正の内容】
【００２２】
本発明の請求項８にかかわる液晶表示装置は、前記ブラックマトリックスが絶縁材料である有機樹脂であるので、寄生容量を削減でき、信号線と対向電極を重ねることによる寄生容量の増加分を相殺できる点で好ましい。


【手続補正１４】
【補正対象書類名】明細書
【補正対象項目名】００２３
【補正方法】変更
【補正の内容】
【００２３】
本発明の請求項９にかかわる液晶表示装置は、前記ブラックマトリックスが島状に形成されているので、信号線と対向基板とのあいだの容量を低減しうる点で好ましい。


【手続補正１５】
【補正対象書類名】明細書
【補正対象項目名】００５１
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００５３
【補正方法】変更
【補正の内容】
【００５３】
本発明の請求項２にかかわる液晶表示装置は、信号線の長さ方向の少なくとも一部が、絶縁膜を介して前記信号線の下層でかつ該信号線の両側に位置する２つの対向電極のうち、いずれか１つの対向電極に重なるように配置されているので、信号線と対向電極とのあいだの寄生容量を低減でき、斜めクロストークを低減できるという効果を奏する。


【手続補正１８】
【補正対象書類名】明細書
【補正対象項目名】００５４
【補正方法】変更
【補正の内容】
【００５４】
本発明の請求項３にかかわる液晶表示装置は、信号線の下層の長さ方向の少なくとも一部に、半導体膜が配置されているので、短絡欠陥の発生を低減できるという効果を奏する。


【手続補正１９】
【補正対象書類名】明細書
【補正対象項目名】００５５
【補正方法】削除
【補正の内容】
【手続補正２０】
【補正対象書類名】明細書
【補正対象項目名】００５６
【補正方法】削除
【補正の内容】
【手続補正２１】
【補正対象書類名】明細書
【補正対象項目名】００５７
【補正方法】変更
【補正の内容】
【００５７】
本発明の請求項４にかかわる液晶表示装置は、信号線の下層の長さ方向の少なくとも一部に、薄膜トランジスタの半導体膜と同時に形成された半導体膜が配置され、かつ、同時に形成された半導体膜が、絶縁膜を介して信号線の下層でかつ該信号線の両側に位置する２つの対向電極のうちの少なくともいずれか１つの対向電極の少なくとも一部に重なるように配置されているので、短絡欠陥の発生を低減でき、かつ信号線と対向電極とのあいだの寄生容量を低減でき、斜めクロストークを低減できるという効果を奏する。


【手続補正２２】
【補正対象書類名】明細書
【補正対象項目名】００５８
【補正方法】変更
【補正の内容】
【００５８】
本発明の請求項５にかかわる液晶表示装置は、信号線の長さ方向の少なくとも一部が、該信号線に隣接する２つの対向電極のうちいずれか１つの対向電極に重なるように配置されているので、信号線と対向電極とのあいだの寄生容量を低減できるという効果を奏する。


【手続補正２３】
【補正対象書類名】明細書
【補正対象項目名】００５９
【補正方法】変更
【補正の内容】
【００５９】
本発明の請求項６にかかわる液晶表示装置は、信号線の下層のほぼ全体に、半導体膜が配置されているので、短絡欠陥の発生を低減できるという効果を奏する。


【手続補正２４】
【補正対象書類名】明細書
【補正対象項目名】００６０
【補正方法】変更
【補正の内容】
【００６０】
本発明の請求項７にかかわる液晶表示装置は、対向基板上に、信号線と対向するように、絶縁材料からなるブラックマトリックスが設けられているので、寄生容量が発生せず、信号の遅延がなく、輝度傾斜の小さい液晶表示装置をうるという効果を奏する。


【手続補正２５】
【補正対象書類名】明細書
【補正対象項目名】００６１
【補正方法】変更
【補正の内容】
【００６１】
本発明の請求項８にかかわる液晶表示装置は、ブラックマトリックスが有機樹脂であるので、寄生容量を削減でき、信号線と対向電極を重ねることによる寄生容量の増加分を相殺できるという効果を奏する。


【手続補正２６】
【補正対象書類名】明細書
【補正対象項目名】００６２
【補正方法】変更
【補正の内容】
【００６２】
本発明の請求項９にかかわる液晶表示装置は、ブラックマトリックスが島状に形成されているので、電気的に浮かせて信号線と対向基板とのあいだの容量を低減するという効果を奏する。